【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
ビデオ復号プロセスにおいて係数を復号する方法であって、
残差ビデオデータの係数のブロックを決定することと、
係数の前記ブロック中の係数について、及び適応コンテキストモデルを使用して、前記係数についての係数レベルが２よりも大きい絶対値を有するとの指示を復号することと、
前記係数について、及びライスパラメータによって定義されるゴロムコードを使用して、前記係数レベルの前記絶対値が２よりも大きい範囲を示す前記係数レベルの残りの絶対値を復号することと、
係数の前記ブロックを含む変換ブロックに変換が適用されるかどうかに基づいて前記ライスパラメータの値を調整することと、ここにおいて、変換が使用されない場合、前記ライスパラメータの前記値を調整するための第１のプロセスが使用され、変換が使用される場合、前記ライスパラメータの前記値を調整するための第２のプロセスが使用され、前記第２のプロセスが、前記第１のプロセスとは異なる、
を備える、方法。
【請求項２】
係数の前記ブロックが係数グループ（ｗＣＧ）を備え、係数の前記ブロック内の前記係数が前記ＣＧ内の第１の係数を備え、前記ライスパラメータの前記値を調整する前記第２のプロセスが、前記ライスパラメータの前記値を更新することを備え、前記方法が、前記ライスパラメータの更新された前記値によって定義されるゴロムコードを使用して前記ＣＧ内の前記第１の係数に続く前記ＣＧ中の第２の係数のための係数レベルの残りの絶対値を復号することを更に備える、請求項１に記載の方法。
【請求項３】
係数の前記ブロックが第１の係数グループ（ＣＧ）を備え、前記ライスパラメータの前記値を調整する前記第２のプロセスが、前記第１のＣＧに続く第２のＣＧのために前記ライスパラメータの前記値を初期化することを備え、前記方法が、前記ライスパラメータの初期化された前記値によって定義されるゴロムコードを使用して前記第２のＣＧ中の係数のための係数レベルの残りの絶対値を復号することを更に備える、請求項１に記載の方法。
【請求項４】
前記変換ブロックに前記変換が適用されない場合、前記ライスパラメータの前記値を調整する前記第１のプロセスが、前記ライスパラメータの最大値又は前記ライスパラメータの前記値の変数増分のいずれかの最小値の選択に基づいて前記ライスパラメータの前記値を更新することを備え、ここにおいて、前記変数増分が、前記ライスパラメータの前記値と、復号されている前記係数のための前記係数レベルの絶対値とに基づいて決定される、請求項１に記載の方法。
【請求項５】
前記変数増分が、
（ａ）前記ライスパラメータの前記値を前記ライスパラメータの前記最大値まで、いずれかの整数値だけ増加させる、又は、
（ｂ）復号されている前記係数のための前記係数レベルの前記絶対値の右シフトされたバージョンに基づいて決定され、ここにおいて、前記右シフトの量が前記ライスパラメータの前記値に基づく、
請求項４に記載の方法。
【請求項６】
前記ライスパラメータの前記値の各更新における前記変数増分の量が、減衰ファクタによってスケーリングされたもの又は最大増分値以下になるように上限を定められたもののうちの１つである、請求項４に記載の方法。
【請求項７】
前記変換ブロックに前記変換が適用されない場合、前記ライスパラメータの前記値を調整する前記第１のプロセスが、前記ライスパラメータの前記値と、復号されている前記係数のための前記係数レベルの前記絶対値とに基づいて前記ライスパラメータの前記値を減少させることを備える、請求項１に記載の方法。
【請求項８】
係数の前記ブロックは前記変換ブロック中の係数の第１のブロックを備え、前記変換ブロックに前記変換が適用されない場合、前記ライスパラメータの前記値を調整する前記第１のプロセスが、係数の前記第１のブロック中の前記少なくとも１つの係数のための前記係数レベルの前記残りの絶対値を復号した後に、前記ライスパラメータの前記値に基づいて前記変換ブロック中の係数の前記第１のブロックに続く前記変換ブロック中の係数の第２のブロックのために前記ライスパラメータの前記値を初期化することを備える、請求項１に記載の方法。
【請求項９】
係数の前記ブロック中の前記少なくとも１つの係数は係数の前記ブロック中の第１の係数を備え、前記変換ブロックに前記変換が適用される場合、前記ライスパラメータの前記値を調整する前記第２のプロセスが、係数の前記ブロック中の前記第１の係数に続く係数の前記ブロック中の第２の係数のために高効率ビデオコード化（ＨＥＶＣ）ライスパラメータ更新方式に従って前記ライスパラメータの前記値を更新することを備える、請求項１に記載の方法。
【請求項１０】
係数の前記ブロックは前記変換ブロック中の係数の第１のブロックを備え、前記変換ブロックに前記変換が適用される場合、前記ライスパラメータの前記値を調整する前記第２のプロセスが、前記変換ブロック中の係数の前記第１のブロックに続く前記変換ブロック中の係数の第２のブロックについて０に等しくなるように前記ライスパラメータの前記値を初期化することを備える、請求項１に記載の方法。
【請求項１１】
前記変換ブロックのための可逆コード化ステータス、変換バイパスステータス、変換スキップステータス、又はパラメータセット中のプロファイルセットのうちの少なくとも１つに基づいて、前記変換ブロックに前記変換が適用されるかどうかを決定することを更に備える、請求項１に記載の方法。
【請求項１２】
ビデオ復号プロセスにおいて係数を符号化する方法であって、
残差ビデオデータの係数のブロックを決定することと、
係数の前記ブロック中の係数について、及び適応コンテキストモデルを使用して、前記係数についての係数レベルが２よりも大きい絶対値を有するとの指示を符号化することと、
前記係数について、及びライスパラメータによって定義されるゴロムコードを使用して、前記係数レベルの前記絶対値が２よりも大きい範囲を示す前記係数レベルの残りの絶対値を符号化することと、
係数の前記ブロックを含む変換ブロックに変換が適用されるかどうかに基づいて前記ライスパラメータの値を調整することと、ここにおいて、変換が使用されない場合、前記ライスパラメータの前記値を調整するための第１のプロセスが使用され、変換が使用される場合、前記ライスパラメータの前記値を調整するための第２のプロセスが使用され、前記第２のプロセスが、前記第１のプロセスとは異なる、
を備える、方法。
【請求項１３】
残差ビデオデータの係数のブロックを決定するための手段と、
係数の前記ブロック中の係数について、及び適応コンテキストモデルを使用して、前記係数についての係数レベルが２よりも大きい絶対値を有するとの指示を復号するための手段と、
前記係数について、及びライスパラメータによって定義されるゴロムコードを使用して、前記係数レベルの前記絶対値が２よりも大きい範囲を示す前記係数レベルの残りの絶対値を復号するための手段と、
係数の前記ブロックを含む変換ブロックに変換が適用されるかどうかに基づいて前記ライスパラメータの値を調整するための手段と、ここにおいて、変換が使用されない場合、前記ライスパラメータの前記値を調整するための第１のプロセスが使用され、変換が使用される場合、前記ライスパラメータの前記値を調整するための第２のプロセスが使用され、前記第２のプロセスが、前記第１のプロセスとは異なる、
を備えるビデオ復号機器。
【請求項１４】
残差ビデオデータの係数のブロックを決定するための手段と、
係数の前記ブロック中の係数について、及び適応コンテキストモデルを使用して、前記係数についての係数レベルが２よりも大きい絶対値を有するとの指示を符号化するための手段と、
前記係数について、及びライスパラメータによって定義されるゴロムコードを使用して、前記係数レベルの前記絶対値が２よりも大きい範囲を示す前記係数レベルの残りの絶対値を符号化するための手段と、
係数の前記ブロックを含む変換ブロックに変換が適用されるかどうかに基づいて前記ライスパラメータの値を調整するための手段と、ここにおいて、変換が使用されない場合、前記ライスパラメータの前記値を調整するための第１のプロセスが使用され、変換が使用される場合、前記ライスパラメータの前記値を調整するための第２のプロセスが使用され、前記第２のプロセスが、前記第１のプロセスとは異なる、
を備えるビデオ符号化機器。
【請求項１５】
ビデオコード化機器の１つ以上のプロセッサによって実行されたとき、請求項１乃至１２のいずれか一項に記載の方法を、前記プロセッサに行わせる命令を備えるコンピュータ可読記憶媒体。